(57)【要約】【課題】精密流体分配システムのさらなる改善。【解決手段】少用量の流体を分配する流体ディスペンサは、ディスペンサハウジング、ダイアフラムアセンブリ、変位チャンバ、および分配ルアーを含む。ディスペンサハウジングは、流体を受け入れる第１の端部と流体を分配する第２の端部とを有する。ディスペンサハウジングは、第１の端部に隣接する受入れチャンバから第２の端部に隣接する分配チャンバまでの流体流路を形成する。ダイアフラムアセンブリは、受入れチャンバ内の第１のダイアフラムおよび分配チャンバ内の第２のダイアフラムを含み、第１のダイアフラムは第２のダイアフラムに動作可能に接続される。 ダイアフラムアセンブリは、第１のダイアフラムが流体流路に沿って流体を受入れチャンバから分配チャンバに移動させる第１の位置と、第２のダイアフラムが分配チャンバから変位チャンバに流体を移動させる第２の位置との間で移動可能である。【選択図】図２
2020532415.tif 000002
【特許請求の範囲】
【請求項１】
少用量の流体を分配する流体ディスペンサであって、
前記流体を受け入れる第１の端部と前記流体を分配する第２の端部とを有し、前記第１の端部に隣接する受入れチャンバから前記第２の端部に隣接する分配チャンバへの流体流路を形成するディスペンサハウジングと、
ダイアフラムアセンブリであって、
前記受入れチャンバ内の第１のダイアフラムおよび前記変位チャンバ内の第２のダイアフラムを含み、前記第１のダイアフラムは、第１の位置と第２の位置との間での移動のために前記第２のダイアフラムに動作可能に接続されているダイアフラムアセンブリと、
前記分配チャンバと連通して前記ディスペンサハウジングの前記第２の端部に隣接する変位チャンバであって、前記ダイアフラムアセンブリは、前記第１のダイアフラムが前記流体を前記流体流路に沿って前記受入れチャンバから前記分配チャンバへ移動させる第１の位置と、前記第２のダイアフラムが前記流体を前記分配チャンバから前記変位チャンバへ移動させる第２の位置との間を移動可能である、変位チャンバと、
前記ダイアフラムアセンブリが前記第２の位置へ移動したときに前記少用量の流体を分配する、前記変位チャンバと連通する分配ルアーと、
を有する流体ディスペンサ。
【請求項２】
前記ダイアフラムアセンブリは接続ロッドをさらに含み、前記第１および第２のダイアフラムは、それぞれ前記接続ロッドの各端部に取り付けられている、請求項１に記載の流体ディスペンサ。
【請求項３】
前記第１の位置において、前記第１のダイアフラムは完全に広げられ、かつ前記第２のダイアフラムは完全に引き込まれる、請求項１に記載の流体ディスペンサ。
【請求項４】
前記第２の位置において、前記第１のダイアフラムは完全に引き込まれ、かつ、前記第２のダイアフラムは完全に広げられている、請求項１に記載の流体ディスペンサ。
【請求項５】
前記流体ディスペンサは、前記流体流路を提供する流体チューブをさらに有する、請求項１に記載の流体ディスペンサ。
【請求項６】
前記流体チューブは、前記流体チューブの端部が前記ディスペンサハウジングの第１および第２の端部内に水平に配置され、前記流体チューブの中間部が、前記流体チューブの中間部の各端部を前記流体チューブの端部の各端部に接続した状態で前記ディスペンサハウジング内に垂直に配置されるように構成され、配置される、請求項５に記載の流体ディスペンサ。
【請求項７】
前記ディスペンサハウジングの前記第１の端部から前記流体が入ると、前記流体は、前記流体チューブを通って移動して前記受入れチャンバ、前記分配チャンバおよび前記変位チャンバを満たす、請求項５に記載の流体ディスペンサ。
【請求項８】
前記流体ディスペンサは、前記分配ハウジング内に配置され、前記変位チャンバの上方に位置する変位ロッドをさらに有する、請求項１に記載の流体ディスペンサ。
【請求項９】
前記流体ディスペンサは、前記ディスペンサハウジング内に配置されたアクチュエータをさらに有する、請求項２に記載の流体ディスペンサ。
【請求項１０】
前記流体ディスペンサが用量の流体を分配すると、前記アクチュエータは、前記変位ロッドを前記変位チャンバ内に移動させ、前記変位チャンバ内の前記流体を前記流体ディスペンサへ排出する、請求項９に記載の流体ディスペンサ。
【請求項１１】
前記ディスペンサハウジングの前記第１の端部に入力接続穴が形成され、該入力接続穴を通して入力接続具の一部が挿入され、取り付けられている、請求項１に記載の流体ディスペンサ。
【請求項１２】
前記ディスペンサハウジングに複数の空気接続穴が形成され、該空気接続穴を通して空気接続具の一部が挿入されて取り付けられている、請求項１に記載の流体ディスペンサ。
【請求項１３】
前記接続ロッドは、前記アクチュエータにボルト留めされている、請求項９に記載の流体ディスペンサ。
【請求項１４】
前記流体は接着剤である、請求項１に記載の流体ディスペンサ。
【請求項１５】
前記流体はシアノアクリレートである、請求項１に記載の流体ディスペンサ。
【請求項１６】
前記第１および第２のダイアフラムは実質的に同一である、請求項１に記載の流体ディスペンサ。
【請求項１７】
前記受入れおよび分配チャンバは実質的に同一である、請求項１に記載の流体ディスペンサ。
【請求項１８】
前記流体は嫌気硬化性である、請求項１に記載の流体ディスペンサ。
【発明の詳細な説明】
【技術分野】
【０００１】
本発明は、流体ディスペンサに関し、より詳細には、ゼロ変位シール装置を備えて構成された精密流体ディスペンサに関する。
【背景技術】
【０００２】
現在、シアノアクリレートや嫌気硬化性の接着剤など、接着剤を分配する様々な精密流体分配システムが存在する。一般的に、これらの分配システムは、容積式ポンプを利用して、分配する接着剤を送達する。容積式ポンプには通常、スライド／動的シールを含んでいる。流体分配システムによる繰り返しの分配中に、接着剤は硬化するか、スライド／動的シールと反応する。具体的には、接着剤がしばらくの間ポンプ部品と接触すると、接着剤の硬化が生じる。これにより、流体分配システムに障害が発生し、スライド／動的シールを交換するまで動作できなくなることがある。
【０００３】
現在、上記のこの課題を解決するために、市販のセラミック容積式ポンプが利用できる。セラミック容積式ポンプでは、セラミックシリンダ内にセラミックピストンが取り付けられている。具体的には、ピストンは、シリンダとピストンとの間に送り出される酸性流体を用いてシールされ、接着剤が２つの部品同士接着しないようにする。したがって、このポンプは信頼性を有する。しかしながら、セラミック容積式ポンプは、操作が複雑で、かつ非常に高価である。さらに、ポンプは運転停止中に定期的なメンテナンスが必要である。
【発明の概要】
【発明が解決しようとする課題】
【０００４】
したがって、現在、様々な精密流体分配システムが利用可能であるが、さらなる改善が可能である。
【課題を解決するための手段】
【０００５】
本発明の一形態によれば、少用量の流体を分配する流体ディスペンサは、ディスペンサハウジング、ダイアフラムアセンブリ、変位（置換）チャンバ、および分配ルアーを含む。ディスペンサハウジングは、流体を受け入れる第１の端部と、流体を分配する第２の端部とを有する。ディスペンサハウジングは、第１の端部に隣接する受入れチャンバから第２の端部に隣接する分配チャンバまでの流体流路を形成する。ダイアフラムアセンブリは、受入れチャンバ内の第１のダイアフラムおよび分配チャンバ内の第２のダイアフラムを含み、第１のダイアフラムは、第２のダイアフラムに動作可能に接続される。ダイアフラムアセンブリは、第１のダイアフラムが流体を流体流路に沿って受入れチャンバから分配チャンバに移動させる第１の位置と、第２のダイアフラムが流体を分配チャンバから変位チャンバに移動させる第２の位置との間で移動可能である。変位チャンバは、分配チャンバと連通して、ハウジングの第２の端部に隣接して配置される。分配ルアーは、ダイアフラムアセンブリが第２の位置に移動すると少量の流体を分配する変位チャンバと連通している。
【０００６】
本発明のこれらおよび他の態様は、図面および以下の詳細な説明を考慮してよりよく理解されるであろう。
【図面の簡単な説明】
【０００７】
【図１】本発明の一実施形態による、流体ディスペンサの斜視図である。
【図２】第１の／開位置での、図１のＡ−Ａ線に沿った断面図である。
【図３】第２の／閉位置での、図１のＡ−Ａ線に沿った断面図である。
【発明を実施するための形態】
【０００８】
本発明の実施形態によれば、図１〜３を参照すると、少量の正確な用量の流体（例えば、シアノアクリレートおよび嫌気性硬化性接着剤などの接着剤）を分配するように設計および構成された流体ディスペンサ１０が示されている。流体ディスペンサ１０は、以下でより詳細に説明するように、ディスペンサハウジング１２と、ディスペンサハウジング１２内に形成された変位チャンバ１４と、少用量の流体を分配する分配ルアー１６と、流体ディスペンサ１０が安定した正確な量の流体を分配することを可能にする、ディスペンサハウジング１２内に配置されたゼロ変位シールデバイス（ダイアフラムアセンブリ）１８と、を含む。
【０００９】
上方および下方などの方向を示す用語は、流体ディスペンサ１０の分配ルアー１６が下方を向いている方向を指す。 しかしながら、それによって、本発明は、特定の向きでの使用に限定されない。
【００１０】
再び図１を参照すると、ディスペンサハウジング１２は細長く、第１の端部２０と第２の端部２２との間に延びている。第１および第２の端部２０、２２は、以下に詳細に説明するように、それぞれ流体を受け入れるためおよび流体を分配するためのものである。流体入力接続穴２４および複数の空気接続穴２６が、それぞれディスペンサハウジング１２の第１の端部２８およびディスペンサハウジング１２の中間部３０に形成される。流体入力接続具３２の一部および空気接続具３４の一部は、それぞれ流体入力接続穴２４および空気接続穴２６に挿入され、取り付けられている。流体入力接続具３２は、流体リザーバ（図示せず）と流体ディスペンサ１０との間に流体経路を提供し、一方、空気は、複数の空気接続具２６を介して、好ましくは６０ｐｓｉの空気圧で流体ディスペンサ１０に供給される。 流体は、好ましくは５ｐｓｉから５０ｐｓｉの間で加圧される。
【００１１】
図２および図３を参照すると、受入れチャンバ３６および分配チャンバ３８が、分配される流体を収容するために流体ディスペンサ１０内に形成されている。具体的には、受入れチャンバ３６は、ディスペンサハウジング１２の第１の端部２０に隣接して形成され、分配チャンバ３８は、ディスペンサハウジング１２の第２の端部２２に隣接して形成される。
【００１２】
ディスペンサハウジング１２はさらに、受入れチャンバ３６から分配チャンバ３８への流体流路を形成し、流体はそれらの間を移動する。より具体的には、ディスペンサハウジング１２内に流体チューブ４０が配置され、その中に流体流路を提供する。流体チューブ４０は、図２および３に示すように、流体チューブ４０の端部４２が、ディスペンサハウジング１２の第１端部２８および第２端部４４内に水平に配置され、かつ、流体チューブ４０の中間部４６が、流体チューブ４０の中間部４６の各端部が流体チューブ４０の端部４２の各端部に接続した状態で、ディスペンサハウジング１２内で垂直に配置されるように、構成および配置される。したがって、流体リザーバ（図示せず）から流体入力接続具３２を介してディスペンサハウジング１２の第１の端部２８に流体が入り、次いで、流体は流体チューブ４０を介して流体流路に沿って移動し、受入れチャンバ３６、分配チャンバ３８および変位チャンバ１４を満たす。
【００１３】
再び図２および３を参照すると、ダイアフラムアセンブリ１８は、ディスペンサハウジング１２内に配置され、受入れチャンバ３６および分配チャンバ３８内に収容される流体の容積変位のためのデバイスとして機能する。ダイアフラムアセンブリ１８は、受入れチャンバ３６内に配置された第１のダイアフラム４８および分配チャンバ３８内に配置された第２のダイアフラム５０の、実質的に同一の第１および第２のダイアフラム４８、５０を含む。この配置によって、受入れチャンバ３６の下端および分配チャンバ３８の上端がそれぞれ第１のダイアフラム４８および第２のダイアフラム５０によって形成されることが可能となる。
【００１４】
第１のダイアフラム４８は、第１の／開位置（図２）と第２の／閉位置（図３）との間の移動のために第２のダイアフラム５０に動作可能に接続される。具体的には、第１および第２のダイアフラム４８、５０は、それぞれ、ディスペンサハウジング１２内に垂直に配置されてアクチュエータ５８にボルト留めされた接続ロッド５６の各端部に接続される。アクチュエータストロークの長さは、 ストローク調整器５９で調整することができる。第１および第２のダイアフラム４８、５０の動きは、以下により詳細に説明する。
【００１５】
流体ディスペンサ１０はさらに、ディスペンサハウジング１２内に配置され、かつ、変位チャンバ１４の上方に位置する変位ロッド６０を含む。変位チャンバ１４は、ディスペンサハウジング１２の第２の端部２２に隣接して形成され、分配チャンバ３８と連通している。
【００１６】
流体ディスペンサ１０は、強度、重量、剛性などを含む、所望の用途に適した特性を有する１つまたは複数の材料からなる。受入れチャンバおよび分配チャンバは、それらが実質的に同一であるような構成およびサイズとされる。
【００１７】
流体ディスペンサ１０の動作において、流体ディスペンサ１０が流体を分配する前、ダイアフラムアセンブリ１８は、最初は、図２に示す第１ の／開位置にある。この位置では、分配される流体が分配チャンバ３８内に収容されるように、第１のダイアフラム４８は完全に広げられ、かつ、第２のダイアフラム５０は完全に引き込まれている。
【００１８】
流体ディスペンサ１０が流体を分配すると、アクチュエータ５８は、接続ロッド５６を直線的に下方に動かして、第１および第２のダイアフラム４８、５０のそれぞれの位置を逆転させ、その結果、ダイアフラムアセンブリ１８は、図３に示すように、第２の ／閉位置に移行する。第２の位置では、第１のダイアフラム４８は完全に引き込まれ、かつ、第２のダイアフラム５０は完全に広げられ、その結果、受入れチャンバ３６は、分配される流体で満たされ、分配チャンバ３８内の流体は、第２のダイアフラム５０が広げられることによって作用する力によって変位チャンバ１４に移動する。したがって、分配チャンバ３８内の流体容積は減少し、受入れチャンバ３６内の流体容積は増加する。受入れおよび分配チャンバ３６、３８は実質的に同一であるので、流体ディスペンサ１０が流体を分配するとき、受入れチャンバ３６内の流体の容積変位は、分配チャンバ３８内の流体の容積変位に等しい。
【００１９】
さらに、流体ディスペンサ１０が流体を分配すると、アクチュエータ５８はまた、変位ロッド６０を下方に移動させ、変位ロッド６０を強制的に変位チャンバ１４内に配置させる。したがって、変位ロッド６０は、変位チャンバ１４内の流体を、変位チャンバ１４と連通している分配ルアー１６に押す。 次に、分配ルアー１６は、流体ディスペンサ１０から流体を分配する。
【００２０】
ダイアフラムアセンブリ１８は、第１および第２のダイアフラム４８、５０がユニット化されているため、アクチュエータ５８からのより高いエネルギー伝達を提供する。この単一化されたシール方法は、分配される流体の正確な容積を作り出し、また、第１および第２のダイアフラム４８、５０が一緒に動くときに、それらの間の力のバランスを作り出す。一方のダイアフラムの投影面積が増加し、もう一方のダイアフラムが減少すると、第１および第２のダイアフラム４８、５０を動かすのに必要な力はゼロに近づく。
【００２１】
流体ディスペンサ１０が流体を分配すると、アクチュエータ５８は、ダイアフラムアセンブリ１８を直線的に上方に動かし、ダイアフラムアセンブリ１８を第１の位置に戻す。 上述したように、第１の位置では、第１のダイアフラム４８は完全に広げられ、かつ、第２のダイアフラム５０は完全に引き込まれる。 したがって、第１のダイアフラム４８が広げられることによって作用する力により、受入れチャンバ３６内の流体が、分配のための流体流路に沿って分配チャンバ３８に移動することが可能になる。
【００２２】
上記から、本発明による流体ディスペンサは、少用量の流体を分配すると同時に、分配される流体容積の精度および流体ディスペンサの寿命を向上させることが理解されよう。
【００２３】
一般に、前述の説明は、解説的かつ例示的な目的で提供されており、 本発明は必ずしもこれに限定されるものではない。 むしろ、当業者は、追加の修正および特定の状況への適応が、本明細書に示され、説明された本発明および本明細書に添付された特許請求の範囲に含まれることを理解するであろう。
【図１】
2020532415.tif 000003
【図２】
2020532415.tif 000004
【図３】
2020532415.tif 000005
【国際調査報告】
2020532415.tif 000006